(57)【要約】  光学フィルム用粘着剤組成物は、（Ａ）（ａ１）特定の構造を有する（メタ）アクリル酸エステル単量体および（ａ２）分子内に１個のオレフィン性二重結合と少なくとも１個の水酸基とを有する単量体を含む単量体混合物の重合体であるアクリル系ポリマーと、（Ｂ）特定の構造を有する架橋剤と、を含む。【特許請求の範囲】
【請求項１】
（Ａ）（ａ１）下記一般式（１）で表される（メタ）アクリル酸エステル単量体および（ａ２）分子内に１個のオレフィン性二重結合と少なくとも１個の水酸基とを有する単量体を含む単量体混合物の重合体であるアクリル系ポリマーと、
（Ｂ）下記一般式（２）または下記一般式（３）で表される架橋剤と、を含む、光学フィルム用粘着剤組成物。
【化１】
2014162985.tif 000022
・・・・（１）
（式中、Ｒ１は水素原子またはメチル基を表し、Ｒ２は炭素数１以上１４以下のアルキル基またはアラルキル基を表す。）
【化２】
2014162985.tif 000023
・・・・（２）
（式中、Ｒ１Ａ，Ｒ１Ｂ，Ｒ１Ｃは独立して、下記一般式（４）で表される基および／または下記一般式（５）で表される基を含む基であり、Ｒ２Ａ，Ｒ２Ｂ，Ｒ２Ｃは独立して、炭素原子数２以上１０以下のアルキレン基を含む基である。）
【化３】
2014162985.tif 000024
・・・・（３）
（式中、Ｒ１Ａ，Ｒ１Ｂ，Ｒ１Ｃは独立して、下記一般式（４）で表される基および／または下記一般式（５）で表される基を含む基であり、Ｒ２Ａ，Ｒ２Ｂ，Ｒ２Ｃは独立して、炭素原子数２以上１０以下のアルキレン基を含む基であり、Ｒ３Ａ，Ｒ３Ｂ，Ｒ３Ｃ，Ｒ３Ｄ，Ｒ３Ｅ，Ｒ３Ｆは独立して、炭素原子数２以上１０以下のアルキレン基を含む基である。）
【化４】
2014162985.tif 000025
・・・・（４）
（式中、ｘは２以上１０以下の整数であり、ｍは１以上１０以下の整数である。）
【化５】
2014162985.tif 000026
・・・・（５）
（式中、Ｘは単結合または−Ｏ−を表し、ｙは２以上１０以下の整数であり、ｎは１以上１０以下の整数である。）
【請求項２】
前記（Ａ）アクリル系ポリマー１００質量部に対して、前記（Ｂ）架橋剤を０．０５質量部以上５質量部以下含む、請求項１に記載の光学フィルム用粘着剤組成物。
【請求項３】
前記単量体混合物は、前記（ａ１）上記一般式（１）で表される（メタ）アクリル酸エステル単量体９０質量％以上９９．９質量％以下および前記（ａ２）分子内に１個のオレフィン性二重結合と少なくとも１個の水酸基とを有する単量体０．１質量％以上１０質量％以下を含む、請求項１または２に記載の光学フィルム用粘着剤組成物。
【請求項４】
前記単量体混合物は、前記（ａ１）上記一般式（１）で表される（メタ）アクリル酸エステル単量体として、（ａ１−１）ホモポリマーを形成したと仮定した場合のガラス転移温度（Ｔｇ）が０℃以上である、上記一般式（１）で表される（メタ）アクリル酸エステル単量体５質量％以上５５質量％以下と、（ａ１−２）ホモポリマーを形成したと仮定した場合のガラス転移温度（Ｔｇ）が０℃未満である、上記一般式（１）で表される（メタ）アクリル酸エステル単量体４４．５質量％以上９４．５質量％以下と、を含む（ここで、前記（ａ１−１）と前記（ａ１−２）との合計量は９０．１質量％以上１００質量％以下である）、請求項３に記載の光学フィルム用粘着剤組成物。
【請求項５】
前記（Ａ）アクリル系ポリマー１００質量部に対して、（Ｃ）シランカップリング剤０．０１質量部以上０．５質量部以下をさらに含む、請求項１ないし４のいずれかに記載の光学フィルム用粘着剤組成物。
【請求項６】
前記（Ａ）アクリル系ポリマー１００質量部に対して、（Ｄ）イオン性化合物０．０１質量部以上３質量部以下をさらに含む、請求項１ないし５のいずれかに記載の光学フィルム用粘着剤組成物。
【請求項７】
６０℃における微小クリープ値が０．５０ｍｍ以下である、請求項１ないし６のいずれかに記載の光学フィルム用粘着剤組成物。
【請求項８】
請求項１ないし７のいずれか１項に記載の光学フィルム用粘着剤組成物を含む粘着剤層を、光学フィルムの片面または両面に設える、粘着型光学フィルム。
【請求項９】
偏光フィルム、位相差フィルム、楕円偏光フィルム、反射防止フィルム、輝度向上フィルムおよび光拡散フィルムからなる群から選択される光学フィルムである、請求項８に記載の粘着型光学フィルム。
【発明の詳細な説明】
【技術分野】
【０００１】
本発明は、光学フィルム用粘着剤組成物および粘着型光学フィルムに関する。
【背景技術】
【０００２】
画像表示装置は、近年、様々な用途や条件下において使用されており、例えば、室温条件下のみならず、高温、さらには高温多湿といった過酷な条件下においても使用されることも多くなっている。高温または高温多湿条件での使用としては、例えば、熱帯地域における使用、車両内部や野外計測機器の内部での使用が挙げられる。【０００３】
また、画像表示装置を構成する偏光フィルム等の光学フィルムは、二色性を有する色素をポリビニルアルコール等の高分子フィルムに吸着させ、延伸および配向させることにより作製される。このため、光学フィルムは、高温や多湿環境下で収縮して、寸法変形が生じやすい。また、一度、光学フィルムに寸法変形が生じた場合、たとえ、温度条件や湿度条件と変えたとしても、元の寸法には完全に戻ることは困難である。その結果、光学フィルムの寸法変化によって生じた応力の影響で粘着剤層にひび割れ、剥がれ、浮きが生じたり、偏光軸の歪みによる光漏れが画像表示装置に発生してしまったりする。【０００４】
さらに、近年、画像表示装置の大画面化、高画質化、高耐久性が求められている。これに伴い、粘着剤組成物について、偏光フィルム等の光学フィルムの寸法変化によって生じる光漏れ、高温高湿環境下での剥がれ、発泡等の外観の欠陥を解決するため、種々の検討がなされている。
【先行技術文献】
【特許文献】
【０００５】
【特許文献１】特開２００７−１６９３２９号公報
【発明の概要】
【発明が解決しようとする課題】
【０００６】
本発明は、高温および多湿条件下で優れた耐久性を発揮し、かつ、液晶セル等の被着体と偏光フィルム等の光学フィルムとの接着に使用された場合、光漏れを低減することができる光学フィルム用粘着剤組成物、およびそれを用いた粘着型光学フィルムを提供することを目的としている。
【課題を解決するための手段】
【０００７】
本発明者らは、このような課題を解決すべく、所定の構造を有する架橋剤を含む粘着剤組成物を用いて粘着剤層を形成し、液晶セル等の被着体と偏光フィルム等の光学フィルムとの接着に使用した場合、光漏れを低減することができることを見出した。【０００８】
１．本発明の一態様に係る光学フィルム用粘着剤組成物は、
（Ａ）（ａ１）下記一般式（１）で表される（メタ）アクリル酸エステル単量体および（ａ２）分子内に１個のオレフィン性二重結合と少なくとも１個の水酸基とを有する単量体を含む単量体混合物の重合体であるアクリル系ポリマーと、
（Ｂ）下記一般式（２）または下記一般式（３）で表される架橋剤と、を含む。【０００９】
【化１】
2014162985.tif 000002
・・・・（１）
（式中、Ｒ１は水素原子またはメチル基を表し、Ｒ２は炭素数１以上１４以下のアルキル基またはアラルキル基を表す。）【００１０】
【化２】
2014162985.tif 000003
・・・・（２）
（式中、Ｒ１Ａ，Ｒ１Ｂ，Ｒ１Ｃは独立して、下記一般式（４）で表される基および／または下記一般式（５）で表される基を含む基であり、Ｒ２Ａ，Ｒ２Ｂ，Ｒ２Ｃは独立して、炭素原子数２以上１０以下のアルキレン基を含む基である。）【００１１】
【化３】
2014162985.tif 000004
・・・・（３）
（式中、Ｒ１Ａ，Ｒ１Ｂ，Ｒ１Ｃは独立して、下記一般式（４）で表される基および／または下記一般式（５）で表される基を含む基であり、Ｒ２Ａ，Ｒ２Ｂ，Ｒ２Ｃは独立して、炭素原子数２以上１０以下のアルキレン基を含む基であり、Ｒ３Ａ，Ｒ３Ｂ，Ｒ３Ｃ，Ｒ３Ｄ，Ｒ３Ｅ，Ｒ３Ｆは独立して、炭素原子数２以上１０以下のアルキレン基を含む基である。）【００１２】
【化４】
2014162985.tif 000005
・・・・（４）
（式中、ｘは２以上１０以下の整数であり、ｍは１以上１０以下の整数である。）【００１３】
【化５】
2014162985.tif 000006
・・・・（５）
（式中、Ｘは単結合または−Ｏ−を表し、ｙは２以上１０以下の整数であり、ｎは１以上１０以下の整数である。）【００１４】
２．前記１の光学フィルム用粘着剤組成物において、前記（Ａ）アクリル系ポリマー１００質量部に対して前記（Ｂ）架橋剤０．０５質量部以上５質量部以下を含むことができる。【００１５】
３．前記１または２の光学フィルム用粘着剤組成物において、前記単量体混合物は、前記（ａ１）上記一般式（１）で表される（メタ）アクリル酸エステル単量体９０質量％以上９９．９質量％以下および（ａ２）分子内に１個のオレフィン性二重結合と少なくとも１個の水酸基とを有する単量体０．１質量％以上１０質量％以下を含むことができる。【００１６】
４．前記１ないし３のいずれかに記載の光学フィルム用粘着剤組成物において、前記単量体混合物は、前記（ａ１）上記一般式（１）で表される（メタ）アクリル酸エステル単量体として、（ａ１−１）ホモポリマーを形成したと仮定した場合のガラス転移温度（Ｔｇ）が０℃以上である、上記一般式（１）で表される（メタ）アクリル酸エステル単量体５質量％以上５５質量％以下と、（ａ１−２）ホモポリマーを形成したと仮定した場合のガラス転移温度（Ｔｇ）が０℃未満である、上記一般式（１）で表される（メタ）アクリル酸エステル単量体４４．５質量％以上９４．５質量％以下と、を含む（ここで、前記（ａ１−１）と前記（ａ１−２）との合計量は９０．１質量％以上１００質量％以下である）を含むことができる。【００１７】
５．前記１ないし４のいずれかに記載の光学フィルム用粘着剤組成物において、前記（Ａ）アクリル系ポリマー１００質量部に対して、（Ｃ）シランカップリング剤０．０１質量部以上０．５質量部以下をさらに含むことができる。【００１８】
６．前記１ないし５のいずれかに記載の光学フィルム用粘着剤組成物において、前記（Ａ）アクリル系ポリマー１００質量部に対して、（Ｄ）イオン性化合物０．０１質量部以上３質量部以下をさらに含むことができる。【００１９】
７．前記１ないし６のいずれかに記載の光学フィルム用粘着剤組成物において、６０℃における微小クリープ値が０．５０ｍｍ以下であることができる。【００２０】
８．本発明の他の態様に係る粘着型光学フィルムは、上記１ないし７のいずれかに記載の光学フィルム用粘着剤組成物を含む粘着剤層を、光学フィルムの片面または両面に設える。【００２１】
９．上記８に記載の粘着型光学フィルムは、偏光フィルム、位相差フィルム、楕円偏光フィルム、反射防止フィルム、輝度向上フィルムおよび光拡散フィルムからなる群から選択される光学フィルムであることができる。
【発明の効果】
【００２２】
上記光学フィルム用粘着剤組成物は（Ｂ）成分を含むことにより、（Ｂ）成分に含まれる上記一般式（４）で表される基および／または上記一般式（５）で表される基を含む基に起因して、該粘着剤組成物がある程度の硬さを有したまま、該粘着剤組成物に適度な凝集力および弾性が付与される。これにより、該粘着剤組成物は、元来はトレードオフの関係になることが多い、凝集力と弾性との双方を具備することができる。したがって、該粘着剤組成物は適度な粘着力を有し、高温条件下あるいは高温多湿条件下で優れた耐久性（湿熱耐久性）を発揮し、かつ、液晶セル等の被着体と偏光フィルム等の光学フィルムとの接着に使用された場合、光漏れを低減することができる。また、上記光学フィルム用粘着剤組成物を使用した上記粘着型光学フィルムは、液晶セル等の被着体に適度な粘着力で貼着され、高温条件下あるいは高温多湿条件下で、優れた耐久性を発揮し、かつ、液晶セル等の被着体との接着に使用される場合、光漏れを低減することができる。
【図面の簡単な説明】
【００２３】
【図１】図１は、本発明の実施例における画像表示装置（液晶ディスプレイパネル、ＶＡ方式）の輝度の測定方法を模式的に説明する図である。
【図２】図２は、本発明の実施例における画像表示装置（液晶ディスプレイパネル、ＴＮ方式）の輝度の測定方法を模式的に説明する図である。
【発明を実施するための形態】
【００２４】
以下、図面を参照しつつ、本発明を詳細に説明する。なお、本発明において、格別に断らない限り、「部」は「質量部」を意味し、「％」は「質量％」を意味する。
【００２５】
１．光学フィルム用粘着剤組成物
本発明の一実施形態に係る光学フィルム用粘着剤組成物（以下、単に「粘着剤組成物」と記載する場合もある。）は、アクリル系ポリマー（Ａ）（以下、単に「（Ａ）成分」と記載する場合もある。）と、下記一般式（２）または下記一般式（３）で表される架橋剤（Ｂ）（以下、単に「（Ｂ）成分」と記載する場合もある。）と、を含む。
【００２６】
【化６】
2014162985.tif 000007
・・・・（２）
（式中、Ｒ１Ａ，Ｒ１Ｂ，Ｒ１Ｃは独立して、下記一般式（４）で表される基および／または下記一般式（５）で表される基を含む基であり、Ｒ２Ａ，Ｒ２Ｂ，Ｒ２Ｃは独立して、炭素原子数２以上１０以下のアルキレン基を含む基である。）
【００２７】
【化７】
2014162985.tif 000008
・・・・（３）
（式中、Ｒ１Ａ，Ｒ１Ｂ，Ｒ１Ｃは独立して、下記一般式（４）で表される基および／または下記一般式（５）で表される基を含む基であり、Ｒ２Ａ，Ｒ２Ｂ，Ｒ２Ｃは独立して、炭素原子数２以上１０以下のアルキレン基を含む基であり、Ｒ３Ａ，Ｒ３Ｂ，Ｒ３Ｃ，Ｒ３Ｄ，Ｒ３Ｅ，Ｒ３Ｆは独立して、炭素原子数２以上１０以下のアルキレン基を含む基である。）
【００２８】
【化８】
2014162985.tif 000009
・・・・（４）
（式中、ｘは２以上１０以下の整数であり、ｍは１以上１０以下の整数である。）
【００２９】
【化９】
2014162985.tif 000010
・・・・（５）
（式中、Ｘは単結合または−Ｏ−を表し、ｙは２以上１０以下の整数であり、ｎは１以上１０以下の整数である。）
【００３０】
１．１．（Ａ）成分
（Ａ）成分は、（ａ１）下記一般式（１）で表される（メタ）アクリル酸エステル単量体および（ａ２）分子内に１個のオレフィン性二重結合と少なくとも１個の水酸基とを有する単量体を含む単量体混合物より得られるアクリル系ポリマーである。
【００３１】
【化１０】
2014162985.tif 000011
・・・・（１）
（式中、Ｒ１は水素原子またはメチル基を表し、Ｒ２は炭素数１以上１４以下のアルキル基またはアラルキル基を表す。）
【００３２】
本発明において、「アクリル系ポリマー」とは、アクリル酸、アクリル酸塩、アクリル酸エステル、メタアクリル酸、メタクリル酸塩、およびメタクリル酸エステルから選ばれる少なくとも１種を構成単位中に５０質量％以上含むポリマーをいう。また、本発明において、「オレフィン性二重結合」とは、炭素−炭素二重結合（Ｃ＝Ｃ）をいう。このため、「分子内に１個のオレフィン性二重結合を有する単量体」は、炭素−炭素二重結合部位を有する単量体を意味する。
【００３３】
上記一般式（１）においてＲ２で表される炭素数１以上１４以下のアルキル基としては、炭素数１以上１４以下の直鎖状または分岐状のアルキル基、例えば、メチル基、エチル基、ｎ−プロピル基、イソプロピル基、ｎ−ブチル基、イソブチル基、ｔｅｒｔ−ブチル基、ｎ−ペンチル基、イソペンチル基、ネオペンチル基、ｔｅｒｔ−ペンチル基、２−メチルブチル基、１−メチルブチル基、ｎ−ヘキシル基、イソヘキシル基、３−メチルペンチル基、２−メチルペンチル基、１−メチルペンチル基、ｎ−ヘプチル基、ｎ−オクチル基、イソオクチル基、２−エチルヘキシル基、ｎ−ノニル基、ｎ−デシル基、ｎ−ウンデシル基、ｎ−ドデシル基、ｎ−トリデシル基、ｎ−テトラデシル基（ミリスチル基）などが挙げられる。このうち、Ｒ２として炭素数１以上１０以下のアルキル基を有することが好ましく、炭素数１以上１０以下の直鎖状アルキル基を有することがより好ましい。
【００３４】
また、本発明において、「アラルキル基（aralkyl group）」とは、アルキル基の水素原子の１つがアリール基で置換されているアルキル基をいう。上記一般式（１）においてＲ２で表される炭素数１以上１４以下のアラルキル基としては、例えば、ベンジル基（フェニルメチル基）、フェネチル基（フェニルエチル基）が挙げられる。
【００３５】
本実施形態に係る粘着剤組成物における（Ａ）成分の含有量は、本実施形態に係る粘着剤組成物１００質量部に対して９０質量部以上９９．４質量部以下であることができ、９５質量部以上９９．４質量部以下であることが好ましい。
【００３６】
本実施形態に係る粘着剤組成物において、より良好な粘着力およびより優れた耐久性を発揮し、かつ、液晶セル等の被着体と偏光フィルム等の光学フィルムとの接着に使用された場合、光漏れをより効果的に低減できる観点から、（Ａ）成分は、（ａ１）上記一般式（１）で表される（メタ）アクリル酸エステル単量体（以下、単に「（ａ１）成分」と記載する場合もある。）９０質量％以上９９．９質量％以下（好ましくは９２質量％以上９８．９質量％以下）および（ａ２）分子内に１個のオレフィン性二重結合と少なくとも１個の水酸基とを有する単量体（以下、単に「（ａ２）成分」と記載する場合もある。）０．１質量％以上１０質量％以下（好ましくは０．６質量％以上７質量％以下、より好ましくは０．６質量％以上６質量％以下）を含む単量体混合物の重合体であることが好ましい。この場合、（ａ１）成分と（ａ２）成分との合計量は９０．１質量％以上１００質量％以下であることが好ましい。
【００３７】
１．１．１．（ａ１）成分
（ａ１）成分は、本実施形態に係る粘着剤組成物の粘着力および耐久性に寄与することができる。（ａ１）上記一般式（１）で表される（メタ）アクリル酸エステル単量体として、例えば、（ａ１−１）ホモポリマーを形成したと仮定した場合のガラス転移温度（Ｔｇ）が０℃以上である、上記一般式（１）で表される（メタ）アクリル酸エステル単量体（以下、単に「（ａ１−１）成分」と記載する場合もある。）を使用することができる。
【００３８】
（ａ１−１）成分である、ホモポリマーを形成したと仮定した場合のＴｇが０℃以上である、上記一般式（１）で表される（メタ）アクリル酸エステル単量体としては、例えば、メチルアクリレート、メチルメタクリレート、エチルメタクリレート、ｎ−プロピルアクリレート、ｎ−プロピルメタクリレート、ｎ−ブチルメタクリレート、ｎ−ヘキサデシルアクリレート、ｎ−ヘキサデシルメタクリレート、ステアリルアクリレート、ステアリルメタクリレート等の直鎖状アルキル基を有する（メタ）アクリル酸アルキルエステル；ｔｅｒｔ−ブチルアクリレート、イソプロピルメタクリレート、イソブチルメタクリレート、ｔｅｒｔ−ブチルメタクリレート等の分岐状アルキル基を有する（メタ）アクリル酸アルキルエステル単量体；シクロヘキシルアクリレート、シクロヘキシルメタクリレート、イソボルニルアクリレート、イソボルニルメタクリレート、ジシクロペンタニルアクリレート等のエステル部位に脂環基を有する（メタ）アクリル酸エステル単量体；ベンジルメタクリレート、ベンジルアクリレート、２−ナフチルアクリレート等の芳香環基を有する（メタ）アクリル酸エステル単量体が挙げられ、このうち１種を単独でまたは２種以上を組み合わせて使用することができる。このうち、本実施形態に係る粘着剤組成物を用いて形成された粘着剤層が画像表示装置の光漏れをより低減できる点で、（ａ１−１）成分は、上記一般式（１）で表される、ホモポリマーを形成したと仮定した場合のＴｇが０℃以上である（メタ）アクリル酸アルキルエステル単量体であって、該（メタ）アクリル酸アルキルエステル単量体を構成するアルキル鎖が直鎖状または分岐状のアルキル鎖であることが好ましく、分岐状のアルキル鎖を有することがより好ましい。この場合、本実施形態に係る粘着剤組成物を用いて形成された粘着剤層が画像表示装置の光漏れをさらに低減できる点で、前記アルキル鎖の炭素原子数は１以上１０以下であることがさらに好ましく、１以上６以下であることが特に好ましい。
【００３９】
（Ａ）成分である重合体を得るための前記単量体混合物中における（ａ１−１）成分の含有量が５質量％未満であると、光漏れを十分に抑えることができない場合があり、一方、５５質量％を超えると、粘着剤層が硬くなりすぎ、貼付作業性が悪くなったり、耐久性に悪影響を及ぼしたりする場合がある。光漏れを十分に抑え、かつ、耐久性に優れた粘着剤層を得るためには、（Ａ）成分である重合体を得るための前記単量体混合物中における（ａ１−１）成分の含有量は、５質量％以上５５質量％以下であることが好ましく、５質量％以上４０質量％以下であることがより好ましい。
【００４０】
また、（ａ１）上記一般式（１）で表される（メタ）アクリル酸エステル単量体として、例えば、（ａ１−２）ホモポリマーを形成したと仮定した場合のガラス転移温度（Ｔｇ）が０℃未満である、上記一般式（１）で表される（メタ）アクリル酸エステル単量体（以下、単に「（ａ１−２）成分」と記載する場合もある。）を使用することができる。
【００４１】
（ａ１−２）成分である、ホモポリマーを形成したと仮定した場合のＴｇが０℃未満である、上記一般式（１）で表される（メタ）アクリル酸エステルとしては、例えば、エチルアクリレート、ｎ−プロピルアクリレート、ｎ−ブチルアクリレート、ｎ−ペンチルアクリレート、ｎ−ヘキシルアクリレート、ｎ−ヘキシルメタクリレート、ｎ−ペンチルアクリレート、ｎ−オクチルアクリレート、ｎ−オクチルメタクリレート、ｎ−ノニルアクリレート、ラウリルメタクリレート、ラウリルアクリレート、ｎ−テトラデシルメタクリレート、等の直鎖状アルキル基を有する（メタ）アクリル酸アルキルエステル単量体；イソプロピルアクリレート、イソブチルアクリレート、イソオクチルアクリレート、イソオクチルメタクリレート、２−エチルヘキシルアクリレート、２−エチルヘキシルメタクリレート等の分岐状アルキル基を有する（メタ）アクリル酸アルキルエステル単量体；フェノキシエチルアクリレート等の芳香環基を有する（メタ）アクリル酸アルキルエステル単量体が挙げられ、このうち１種を単独でまたは２種以上を組み合わせて使用することができる。このうち、本実施形態に係る粘着剤組成物を用いて形成された粘着剤層が光漏れをより低減できる点で、（ａ１−２）成分は、ホモポリマーを形成したと仮定した場合のＴｇが０℃未満である、上記一般式（１）で表される（メタ）アクリル酸アルキルエステル単量体であって、該（メタ）アクリル酸アルキルエステルを構成するアルキル鎖が直鎖状または分岐状のアルキル鎖であることが好ましく、直鎖状のアルキル鎖を有することがより好ましい。この場合、本実施形態に係る粘着剤組成物を用いて形成された粘着剤層が画像表示装置の光漏れをさらに低減できる点で、前記アルキル鎖の炭素原子数は１以上１０以下であることがさらに好ましい。
【００４２】
（Ａ）成分である重合体を得るための前記単量体混合物中における（ａ１−２）成分の含有量が４４．５質量％未満であると、粘着物性のバランスが崩れ、被着体への密着力が不足する場合があり、一方、９４．５質量％を超えると、光漏れを十分に抑えることができない場合がある。光漏れを十分に抑え、かつ、耐久性に優れた粘着剤層を得るためには、（Ａ）成分である重合体を得るための前記単量体混合物中における（ａ１−２）成分の含有量は、４４．５質量％以上９４．５質量％以下であることが好ましく、５９．５質量％以上９０質量％以下であることがより好ましく、６９．５質量％以上９０質量％以下であることが更に好ましい。
【００４３】
（ａ１）成分における（ａ１−１）成分と（ａ１−２）成分との合計量は、４９．５質量％以上１００質量％以下であることが好ましく、６４．５質量％以上１００質量％以下であることがより好ましい。
【００４４】
１．１．２．（ａ２）成分
（ａ２）成分に含まれる水酸基が（Ｂ）成分中のイソシアナート基と反応することにより、架橋構造を形成することができる。（ａ２）成分としては、例えば、２−ヒドロキシエチルアクリレート、２−ヒドロキシエチルメタクリレート、２−ヒドロキシプロピルアクリレート、２−ヒドロキシプロピルメタクリレート、４−ヒドロキシブチルアクリレート、４−ヒドロキシブチルメタクリレート、２−ヒドロキシ−３−クロロプロピルアクリレート、２−ヒドロキシ−３−クロロプロピルメタクリレート、２−ヒドロキシ−３−フェノキシプロピルアクリレート、２−ヒドロキシ−３−フェノキシプロピルメタクリレートなどの水酸基含有（メタ）アクリル酸エステル単量体などが挙げられ、このうち、１種または２種以上を組み合わせて使用することができる。なかでも、炭素数１ないし６の水酸基含有（メタ）アクリル酸エステル単量体であることが好ましい。
【００４５】
１．１．３．（ａ３）成分
（Ａ）成分である重合体を得るための前記単量体混合物は、（ａ３）分子内に１個のオレフィン性二重結合と少なくとも１個の水酸基以外の反応性官能基とを有する単量体（以下、単に「（ａ３）成分」と記載する場合もある。）をさらに含むことができる。本発明において、「反応性官能基」とは、（Ｂ）成分と反応し得る官能基をいい、（ａ３）成分に含まれる反応性官能基としては、例えば、カルボキシル基、アミノ基、アミド基、および酸無水物基から選ばれる少なくとも１種の基をいう。
【００４６】
（ａ３）成分に含まれる反応性官能基は（Ｂ）成分中のイソシアナート基と（ａ２）成分中の水酸基に作用することにより、架橋構造を効率よく形成することができる。（ａ３）成分としては、例えば、カルボキシエチルアクリレート、Ｎ，Ｎ−ジメチルアミノエチルアクリレート、Ｎ，Ｎ−ジメチルアミノエチルメタクリレート、Ｎ，Ｎ−ジエチルアミノエチルメタクリレート、アクリルアミド、Ｎ，Ｎ−ジメチルアミノプロピルアクリルアミド、ダイアセトンアクリルアミド、アクリロイルモルホリン、アクリル酸、メタクリル酸、マレイン酸、イタコン酸が挙げられ、このうち、１種または２種以上を組み合わせて使用することができる。このうち、（ａ３）成分は、架橋構造形成への効率に優れる点で、アクリル酸、およびアルキルアミドから選ばれる少なくとも１種であることがより好ましく、アクリル酸であることがさらに好ましい。
【００４７】
光漏れを十分に抑え、かつ、耐久性に優れた粘着剤層を得るためには、（Ａ）成分である重合体を得るための前記単量体混合物中における（ａ３）成分の含有量は、０質量％以上５質量％以下であることが好ましく、０．１質量％以上２質量％以下であることが更に好ましい。
【００４８】
本実施形態に係る粘着剤組成物では、良好な接着性および耐久性ならびに光漏れの低減をより確実に達成できる観点から、（Ａ）成分である重合体を得るための前記単量体混合物中における前記（ａ１）成分、（ａ２）成分および（ａ３）の合計量が９０．１質量％以上１００質量％以下であることができ、９５質量％以上１００質量％以下であることがより好ましい。
【００４９】
１．１．４．（ａ４）成分
また、（Ａ）成分である重合体を得るための前記単量体混合物は、（ａ４）（ａ１）〜（ａ３）成分以外の単量体であって、分子内に１個のオレフィン性二重結合を有する単量体（以下、単に「（ａ４）成分」と記載する場合もある。）をさらに含むことができる。（ａ４）成分としては、例えば、酢酸ビニル、スチレン、アクリロニトリル、ビニル基を重合したモノマー末端にラジカル重合性ビニル基を有するマクロモノマー類等が挙げられる。（Ａ）成分である重合体を得るための前記単量体混合物中における（ａ４）成分の含有量は、０質量％以上２質量％以下であることが好ましい。
【００５０】
１．１．５．（ａ１）成分、（ａ２）および（ａ３）および（ａ４）の合計量
本実施形態に係る粘着剤組成物では、良好な接着性および耐久性ならびに光漏れの低減をより確実に達成できる観点から、（Ａ）成分である重合体を得るための前記単量体混合物中における前記（ａ１）成分、（ａ２）および（ａ３）および（ａ４）の合計量が９０．１質量％以上１００質量％以下であることができ、９５質量％以上１００質量％以下であることがより好ましく、さらに好ましくは１００質量％以下である。
【００５１】
さらに、本実施形態に係る粘着剤組成物は、本実施形態に係る粘着剤組成物を用いて形成された粘着剤層が光漏れをより低減できる点で、アルキレンオキサイド基を有するモノマーの含有量が５質量％以下であることが好ましく、アルキレンオキサイド基を有するモノマーを含まないことがより好ましい。アルキレンオキサイド基を有するモノマーとしては、例えば、側鎖にアルキレンオキサイド基を有する（メタ）アクリルモノマー、アルキレンオキサイド基を有する反応性乳化剤が挙げられる。なお、本発明において「粘着剤組成物がアルキレンオキサイド基を有するモノマーを含まない」とは、粘着剤組成物中のアルキレンオキサイド基を有するモノマーの含有量が２質量％以下であることをいう。特に、粘着剤組成物中のアルキレンオキサイド基を有するモノマーの含有量が０質量％以上２質量％以下であることが好ましい。
【００５２】
１．１．６．Ｔｇ
本実施形態に係る粘着剤組成物では、良好な接着性および耐久性ならびに光漏れの低減をより確実に達成できる観点から、（Ａ）成分のＴｇは−７０℃以上０℃以下であることが好ましく、−６０℃以上−１０℃以下であることがより好ましい。なお、本発明において、（Ａ）成分のＴｇは、下記式（６）（ＦＯＸの式）により算出された値である。
【００５３】
１／ＴｇＡ＝Ｗａ１／Ｔｇａ１＋Ｗａ２／Ｔｇａ２＋Ｗａ３／Ｔｇａ３＋Ｗａ４／Ｔｇａ４  ・・・・（６）
（式中、ＴｇＡは、（Ａ）成分のガラス転移温度（Ｋ）を示し、Ｔｇａ１，Ｔｇａ２，Ｔｇａ３，Ｔｇａ４はそれぞれ、構成モノマー（ａ１），（ａ２），（ａ３），（ａ４）から調製されたホモポリマーのガラス転移温度（Ｔｇ（Ｋ））を示し、Ｗａ１，Ｗａ２，Ｗａ３，Ｗａ４はそれぞれ、（Ａ）成分中に含まれる、構成モノマー（ａ１），（ａ２），（ａ３），（ａ４）の重量分率を示す。）
【００５４】
なお、上記式（６）により、ＴｇＡは、絶対温度（Ｋ）として算出されるので、必要に応じて摂氏温度（℃）に換算される。
【００５５】
また、代表的なモノマーから調製されたホモポリマーのガラス転移温度は、下記表１に示されるが、より具体的には、たとえば、ポリマーハンドブック４版（Polymer Handbook Third Edition, Wiley-Interscience,1999）などに記載されている。
【００５６】
【表１】
2014162985.tif 000012
【００５７】
１．１．７．重量平均分子量（Ｍｗ）
また、本実施形態に係る粘着剤組成物において、良好な接着性および耐久性ならびに光漏れの低減をより確実に達成できる観点から、（Ａ）成分は、重量平均分子量（Ｍｗ）が５０万以上２００万以下であることが好ましく、８０万以上１８０万以下であることがより好ましい。ここで、（Ａ）成分の重量平均分子量は、ＧＰＣ（ゲルパーミエーションクロマトグラフィー）を用い、下記の条件で標準ポリスチレン換算による重量平均分子量（Ｍｗ）を求めたものである。
＜ＧＰＣ測定条件＞
測定装置：ＨＬＣ−８１２０ＧＰＣ（東ソー社製）
ＧＰＣカラム構成：以下の５連カラム（すべて東ソー社製）
（１）ＴＳＫ−ＧＥＬ ＨＸＬ−Ｈ （ガードカラム）
（２）ＴＳＫ−ＧＥＬ Ｇ７０００ＨＸＬ
（３）ＴＳＫ−ＧＥＬ ＧＭＨＸＬ
（４）ＴＳＫ−ＧＥＬ ＧＭＨＸＬ
（５）ＴＳＫ−ＧＥＬ Ｇ２５００ＨＸＬ
サンプル濃度：１．０ｍｇ／ｃｍ３となるように、テトラヒドロフランで希釈
移動相溶媒：テトラヒドロフラン
流量：１．０ｃｍ３／分
カラム温度：４０℃
【００５８】
また、本実施形態にかかる（Ａ）成分は、上記ＧＰＣにより求められる分子量分布（重量平均分子量／数平均分子量）が４以上７以下の範囲にあることが好ましい。（Ａ）成分において、前記分子量分布が７以下であることは、高分子量成分の割合が高く、低分子量成分の割合がより少ないことを意味するから、耐久試験条件下において、（Ａ）成分を用いて得られる粘着剤層の凝集力を維持することができるため、該粘着剤層の耐久性をより高めることができる点で好ましい。また、（Ａ）成分において、前記分子量分布が４以上であることにより、（Ａ）成分が、分子量がある程度の分布を有するポリマーとなるため、（Ａ）成分を含む粘着剤組成物に適度な応力緩和性を与えることができる。
【００５９】
１．２．（Ｂ）成分
上述したように、本実施形態に係る粘着剤組成物において、（Ｂ）成分である架橋剤は、上記一般式（２）または上記一般式（３）で表される架橋剤と、を含む。
【００６０】
本実施形態に係る粘着剤組成物において、より優れた接着力および耐久性を付与し、かつ、光漏れをより確実に防止できる観点から、上記一般式（２）または上記一般式（３）に含まれるＲ１Ａ，Ｒ１Ｂ，Ｒ１Ｃである上記一般式（４）で表される基において、ｘは２以上１０以下の整数であることがより好ましく（さらに好ましくは４以上８以下の整数）、ｍは１以上１０以下の整数であることがより好ましい（さらに好ましくは１以上６以下の整数）。また、上記一般式（２）または上記一般式（３）に含まれるＲ１Ａ，Ｒ１Ｂ，Ｒ１Ｃである上記一般式（５）で表される基において、ｙは２以上１０以下の整数であることがより好ましく、４〜８の整数であることがさらに好ましく、ｎは１以上１０以下の整数であることがより好ましく、１以下６以下の整数であることがさらに好ましい。なお、Ｒ１Ａ，Ｒ１Ｂ，Ｒ１Ｃは同一であってもよく、または異なっていても、複数の組合せであってもよい。
【００６１】
上記一般式（２）または上記一般式（３）においてＲ２Ａ，Ｒ２Ｂ，Ｒ２Ｃ，Ｒ３Ａ，Ｒ３Ｂ，Ｒ３Ｃ，Ｒ３Ｄ，Ｒ３Ｅ，Ｒ３Ｆに含まれるアルキレン基としては、例えば、直鎖状、分岐状、または環状であってもよく、直鎖状であることが好ましい。該アルキレン基としては、例えば、メチレン基、エチレン基、プロピレン基、ブチレン基、ヘキシレン基、オクチレン基、ドデシレン基、シクロヘキシレン基、シクロヘキサンジメチレン基等が挙げられる。該アルキレン基の炭素原子数は、２以上１０以下であることが好ましく、４以下８以下であることがより好ましい。また、Ｒ２Ａ，Ｒ２Ｂ，Ｒ２Ｃ，Ｒ３Ａ，Ｒ３Ｂ，Ｒ３Ｃ，Ｒ３Ｄ，Ｒ３Ｅ，Ｒ３Ｆ自体がそれぞれ、アルキレン基であってもよい。なお、Ｒ２Ａ，Ｒ２Ｂ，Ｒ２Ｃは同一であってもよく、または異なっていてもよい。また、Ｒ３Ａ，Ｒ３Ｂ，Ｒ３Ｃ，Ｒ３Ｄ，Ｒ３Ｅ，Ｒ３Ｆは同一であってもよく、または異なっていてもよい。
【００６２】
（Ｂ）成分はイソシアネート系架橋剤であり、より具体的には、（Ｂ）成分は上記一般式（２）または上記一般式（３）で示されるように、トリメチロールプロパンに由来する骨格（−（Ｏ−ＣＨ２−）３−Ｃ−ＣＨ２ＣＨ３）と、イソシアネート（−Ｎ＝Ｃ＝Ｏ）基とを有する。
【００６３】
本実施形態に係る粘着剤組成物に適度な弾性を付与できる観点から、（Ｂ）成分は例えば、架橋度（１分子の（Ｂ）成分中に含まれるイソシアネート基の数）が１以上９以下であることができ、架橋度が３以上６以下であることが好ましい。（Ｂ）成分は、例えば、トリメチロールプロパンと、イソシアネート基を有する酸ハロイド（またはエステル、あるいはカルボン酸）とを縮合させることにより、得ることができる。
【００６４】
本実施形態に係る粘着剤組成物において、凝集力と弾性との両立をより確実に達成できる観点で、（Ｂ）成分の分子量は５００以上１０，０００以下であることが好ましく、２，０００以上７，０００以下であることがより好ましい。
【００６５】
本実施形態に係る粘着剤組成物が（Ｂ）成分を含むことにより、（Ｂ）成分に含まれる上記一般式（４）で表される基および／または上記一般式（５）で表される基を含む基に起因して、該粘着剤組成物に適度な凝集力および弾性が付与される。これにより、該粘着剤組成物は、元来はトレードオフの関係になることが多い、凝集力と弾性との双方を具備することができる。したがって、該粘着剤組成物は該粘着剤組成物を用いて画像表示装置の粘着剤層を形成した場合、光漏れを防止し、かつ接着力および耐久性（湿熱耐久性）を高めることができる。
【００６６】
一般に、粘着剤組成物が硬すぎる場合（粘着剤組成物の凝集力が高く、かつ弾性が低い場合）、該粘着剤組成物を用いて形成された粘着剤層のひび割れが生じることがあり、一方、粘着剤組成物が柔らかすぎる場合（粘着剤組成物の凝集力が低く、かつ弾性が高い場合）、該粘着剤組成物を用いて形成された粘着剤層に気泡が入りこみ、外観上好ましくないことがある。これに対して、本実施形態に係る粘着剤組成物が（Ｂ）成分を含むことにより、該粘着剤組成が適度な凝集力および弾性を有するため、粘着剤層のひび割れを防止し、かつ、粘着剤層に気泡が入り込むのを防止することができる。
【００６７】
本実施形態に係る粘着剤組成物における（Ｂ）成分の含有量は、光漏れを防止し、かつ接着力および耐久性を高めることができる観点から、本実施形態に係る（Ａ）成分１００質量部に対して０．０５質量部以上５質量部以下であることができ、０．１質量部以上４質量部以下であることが好ましい。
【００６８】
（Ｂ）成分としては、市販の架橋剤を使用することができる。例えば、（Ｂ）成分として、Ｄ−９４（販売元：綜研化学株式会社）、Ｅ４０５−７０Ｂ（販売元：旭化成株式会社）、ＭＦＡ−７５Ｂ（販売元：旭化成株式会社）等を使用することができる。
【００６９】
本実施形態に係る光学フィルム用粘着剤組成物によれば、上記一般式（２）または上記一般式（３）で表される（Ｂ）架橋剤を含むことにより、上記一般式（２）または上記一般式（３）で表される構造を有さない架橋剤（例えば、市販のイソシアネート系架橋剤であるＮＹ７３０Ａ（販売元：三菱化学株式会社）、Ｌ−４５（販売元：綜研化学株式会社）、コロネートＨＬ（販売元：日本ポリウレタン株式会社）等）と比較して、光漏れをより確実に低減でき、かつ、耐久性（湿熱耐久性）に優れている。
【００７０】
１．３．他の成分
本実施形態に係る光学フィルム用粘着剤組成物は、必要に応じて、（Ａ）成分および（Ｂ）成分以外の成分をさらに含むことができる。例えば、本実施形態に係る粘着剤組成物には、本発明の効果を損なわない範囲で、（Ｃ）シランカップリング剤（以下、単に「（Ｃ）成分」と記載することもある。）、（Ｄ）イオン性化合物（以下、単に「（Ｄ）成分」と記載する場合もある。）、酸化防止剤、紫外線吸収剤、粘着付与剤、可塑剤等が配合されていても良い。
【００７１】
１．３．１．（Ｃ）シランカップリング剤
本実施形態に係る光学フィルム用粘着剤組成物が（Ｃ）成分を含むことにより、本実施形態に係る光学フィルム用粘着剤組成物を用いて被着体の表面に粘着剤層を形成した場合、被着体との接着を良好に保つことができる。（Ｃ）成分は例えば、ビニルトリメトキシシラン，ビニルトリエトキシシラン及びメタクリロキシプロピルトリメトキシシラン等の重合性不飽和基含有ケイ素化合物；３−グリシドキシプロピルトリメトキシシラン，３−グリシドキシプロピルメチルジメトキシシラン及び２−（３，４−エポキシシクロヘキシル）エチルトリメトキシシラン等のエポキシ構造を有するケイ素化合物；３−アミノプロピルトリメトキシシラン，Ｎ−（２−アミノエチル）３−アミノプロピルトリメトキシシラン及びＮ−（２−アミノエチル）−３−アミノプロピルメチルジメトキシシラン等のアミノ基含有ケイ素化合物；並びに３−クロロプロピルトリメトキシシラン；オリゴマー型シランカップリング剤等であってもよく、中でも、（メタ）アクリル系コポリマー（Ａ）中に含まれる官能基と反応する官能基を有しているシランカップリング剤が湿熱環境下でハガレを生じさせにくいという点で好ましい。
【００７２】
本実施形態に係る光学フィルム用粘着剤組成物における（Ｃ）成分の含有量は、被着体との接着を良好に保つことができる観点から、（Ａ）成分１００質量部に対して０．０１質量部以上０．５質量部以下であることができ、０．０５質量部以上０．３質量部以下であることが好ましい。
【００７３】
１．３．２．（Ｄ）イオン性化合物
また、本実施形態に係る粘着剤組成物は、イオン性化合物（Ｄ）を含んでいてもよい。本実施形態に係る粘着剤組成物が（Ｄ）成分を含むことにより、本実施形態に係る粘着剤組成物を用いて被着体の表面に粘着剤層を形成した場合、被着体の帯電を効果的に防止することができる。（Ｄ）成分としては、例えば、アニオンとカチオンとからなる、２５℃で液体状、または固体状のイオン性化合物が挙げられ、具体的には、アルカリ金属塩、イオン性液体（２５℃で液体状）、界面活性剤等が挙げられる。
【００７４】
上記アルカリ金属塩としては、リチウム、ナトリウム、カリウム等のアルカリ金属カチオンと、アニオンとからなる化合物が挙げられ、具体的には、塩化ナトリウム、塩化カリウム、塩化リチウム、過塩素酸リチウム、塩素酸カリウム、硝酸カリウム、硝酸ナトリウム、炭酸ナトリウム、チオシアン酸ナトリウム、ＬｉＢｒ、ＬｉＩ、ＬｉＢＦ４、ＬｉＰＦ６、ＬｉＳＣＮ、酢酸ナトリウム、アルギン酸ナトリウム、リグニンスルホン酸ナトリウム、トルエンスルホン酸ナトリウム、ＬｉＣＦ３ＳＯ３、Ｌｉ（ＣＦ３ＳＯ２）２Ｎ、Ｌｉ（ＣＦ３ＳＯ２）ＩＮ、Ｌｉ（Ｃ２Ｆ５ＳＯ２）２Ｎ、Ｌｉ（Ｃ２Ｆ５ＳＯ２）ＩＮ、Ｌｉ（ＣＦ３ＳＯ２）３Ｃ等が挙げられる。
【００７５】
上記イオン性液体を構成するカチオンとしては、ピペリジニウムカチオン、ピロリジニウムカチオン、ピロリン骨格を有するカチオン、ピロール骨格を有するカチオン、イミダゾリウムカチオン、テトラヒドロピリミジニウムカチオン、ジヒドロピリミジニウムカチオン、ピラゾリウムカチオン、ピラゾリニウムカチオン、テトラアルキルアンモニウムカチオン、トリアルキルスルホニウムカチオン、テトラアルキルホスホニウムカチオン等が挙げられ、上記イオン性液体を構成するアニオンとしては、Ｃｌ−、Ｂｒ−、Ｉ−、ＡｌＣｌ４−、Ａｌ２Ｃｌ７−、ＢＦ４−、ＰＦ６−、ＣｌＯ４−、ＮＯ３−、ＣＨ３ＣＯＯ−、ＣＦ３ＣＯＯ−、ＣＨ３ＳＯ３−、ＣＦ３ＳＯ３−、（ＣＦ３ＳＯ２）２Ｎ−、（ＣＦ３ＳＯ２）３Ｃ−、ＡｓＦ６−、ＳｂＦ６−、ＮｂＦ６−、ＴａＦ６−、Ｆ（ＨＦ）ｎ−（ｎ＝２〜３）、（ＣＮ）２Ｎ−、Ｃ４Ｆ９ＳＯ３−、（Ｃ２Ｆ５ＳＯ２）２Ｎ−、Ｃ３Ｆ７ＣＯＯ−、（ＣＦ３ＳＯ２）（ＣＦ３ＣＯ）Ｎ−等があげられる。
【００７６】
そして、上記イオン性化合物としては、これらのカチオンとアニオンとから構成され、２５℃で液状のイオン性化合物が挙げられる。このようなイオン性化合物としては、具体的には、２−メチル−１−ピロリンテトラフルオロボレート、１−エチル−２−フェニルインドールテトラフルオロボレート、１，２−ジメチルインドールテトラフルオロボレート、１−エチルカルバゾールテトラフルオロボレート、１−エチル−３−メチルイミダゾリウムテトラフルオロボレート、１−エチル−３−メチルイミダゾリウムアセテート、１−エチル−３−メチルイミダゾリウムトリフルオロアセテート、１−エチル−３−メチルイミダゾリウムヘプタフルオロブチレート、１−エチル−３−メチルイミダゾリウムトリフルオロメタンスルホネート、１−エチル−３−メチルイミダゾリウムペルフルオロブタンスルホネート、１−エチル−３−メチルイミダゾリウムジシアナミド、１−エチル−３−メチルイミダゾリウムビス（トリフルオロメタンスルホニル）イミド、１−エチル−３−メチルイミダゾリウムビス（ペンタフルオロエタンスルホニル）イミド、１−エチル−３−メチルイミダゾリウムトリス（トリフルオロメタンスルホニル）メチド、１−ブチル−３−メチルイミダゾリウムテトラフルオロボレート、１−ブチル−３−メチルイミダゾリウムヘキサフルオロホスフェート、１−ブチル−３−メチルイミダゾリウムトリフルオロアセテート、１−ブチル−３−メチルイミダゾリウムヘプタフルオロブチレート、１−ブチル−３−メチルイミダゾリウムトリフルオロメタンスルホネート、１−ブチル−３−メチルイミダゾリウムペルフルオロブタンスルホネート、１−ブチル−３−メチルイミダゾリウムビス（トリフルオロメタンスルホニル）イミド、１−へキシル−３−メチルイミダゾリウムブロミド、１−へキシル−３−メチルイミダゾリウムクロライド、１−へキシル−３−メチルイミダゾリウムテトラフルオロボレート、１−へキシル−３−メチルイミダゾリウムヘキサフルオロホスフェート、１−へキシル−３−メチルイミダゾリウムトリフルオロメタンスルホネート、１−オクチル−３−メチルイミダゾリウムテトラフルオロボレート、１−オクチル−３−メチルイミダゾリウムヘキサフルオロホスフェート、１−へキシル−２，３−ジメチルイミダゾリウムテトラフルオロボレート、１，２−ジメチル−３−プロピルイミダゾリウムビス（トリフルオロメタンスルホニル）イミド、１−メチルピラゾリウムテトラフルオロボレート、３−メチルピラゾリウムテトラフルオロボレート、テトラヘキシルアンモニウムビス（トリフルオロメタンスルホニル）イミド、ジアリルジメチルアンモニウムテトラフルオロボレート、ジアリルジメチルアンモニウムトリフルオロメタンスルホネート、ジアリルジメチルアンモニウムビス（トリフルオロメタンスルホニル）イミド、ジアリルジメチルアンモニウムビス（ペンタフルオロエタンスルホニル）イミド、Ｎ，Ｎ−ジエチル−Ｎ−メチル−Ｎ−（２−メトキシエチル）アンモニウムテトラフルオロボレート、Ｎ，Ｎ−ジエチル−Ｎ−メチル−Ｎ−（２−メトキシエチル）アンモニウムトリフルオロメタンスルホネート、Ｎ，Ｎ−ジエチル−Ｎ−メチル−Ｎ−（２−メトキシエチル）アンモニウムビス（トリフルオロメタンスルホニル）イミド、Ｎ，Ｎ−ジエチル−Ｎ−メチル−Ｎ−（２−メトキシエチル）アンモニウムビス（ペンタフルオロエタンスルホニル）イミド、グリシジルトリメチルアンモニウムトリフルオロメタンスルホネート、グリシジルトリメチルアンモニウムビス（トリフルオロメタンスルホニル）イミド、グリシジルトリメチルアンモニウムビス（ペンタフルオロエタンスルホニル）イミド、１−ブチルピリジニウム（トリフルオロメタンスルホニル）トリフルオロアセトアミド、１−ブチル−３−メチルピリジニウム（トリフルオロメタンスルホニル）トリフルオロアセトアミド、１−エチル−３−メチルイミダゾリウム（トリフルオロメタンスルホニル）トリフルオロアセトアミド、Ｎ，Ｎ−ジエチル−Ｎ−メチル−Ｎ−（２−メトキシエチル）アンモニウム（トリフルオロメタンスルホニル）トリフルオロアセトアミド、ジアリルジメチルアンモニウム（トリフルオロメタンスルホニル）トリフルオロアセトアミド、グリシジルトリメチルアンモニウム（トリフルオロメタンスルホニル）トリフルオロアセトアミド、Ｎ，Ｎ−ジメチル−Ｎ−エチル−Ｎ−プロピルアンモニウムビス（トリフルオロメタンスルホニル）イミド、Ｎ，Ｎ−ジメチル−Ｎ−エチル−Ｎ−ブチルアンモニウムビス（トリフルオロメタンスルホニル）イミド、Ｎ，Ｎ−ジメチル−Ｎ−エチル−Ｎ−ペンチルアンモニウムビス（トリフルオロメタンスルホニル）イミド、Ｎ，Ｎ−ジメチル−Ｎ−エチル−Ｎ−へキシルアンモニウムビス（トリフルオロメタンスルホニル）イミド、Ｎ，Ｎ−ジメチル−Ｎ−エチル−Ｎ−ヘプチルアンモニウムビス（トリフルオロメタンスルホニル）イミド、Ｎ，Ｎ−ジメチル−Ｎ−エチル−Ｎ−ノニルアンモニウムビス（トリフルオロメタンスルホニル）イミド、Ｎ，Ｎ−ジメチル−Ｎ，Ｎ−ジプロピルアンモニウムビス（トリフルオロメタンスルホニル）イミド、Ｎ，Ｎ−ジメチル−Ｎ−プロピル−Ｎ−ブチルアンモニウムビス（トリフルオロメタンスルホニル）イミド、Ｎ，Ｎ−ジメチル−Ｎ−プロピル−Ｎ−ペンチルアンモニウムビス（トリフルオロメタンスルホニル）イミド、Ｎ，Ｎ−ジメチル−Ｎ−プロピル−Ｎ−ヘキシルアンモニウムビス（トリフルオロメタンスルホニル）イミド、Ｎ，Ｎ−ジメチル−Ｎ−プロピル−Ｎ−ヘプチルアンモニウムビス（トリフルオロメタンスルホニル）イミド、Ｎ，Ｎ−ジメチル−Ｎ−ブチル−Ｎ−ヘキシルアンモニウムビス（トリフルオロメタンスルホニル）イミド、Ｎ，Ｎ−ジメチル−Ｎ−ブチル−Ｎ−ヘプチルアンモニウムビス（トリフルオロメタンスルホニル）イミド、Ｎ，Ｎ−ジメチル−Ｎ−ペンチル−Ｎ−ヘキシルアンモニウムビス（トリフルオロメタンスルホニル）イミド、Ｎ，Ｎ−ジメチル−Ｎ，Ｎ−ジヘキシルアンモニウムビス（トリフルオロメタンスルホニル）イミド、トリメチルヘプチルアンモニウムビス（トリフルオロメタンスルホニル）イミド、Ｎ，Ｎ−ジエチル−Ｎ−メチル−Ｎ−プロピルアンモニウムビス（トリフルオロメタンスルホニル）イミド、Ｎ，Ｎ−ジエチル−Ｎ−メチル−Ｎ−ペンチルアンモニウムビス（トリフルオロメタンスルホニル）イミド、Ｎ，Ｎ−ジエチル−Ｎ−メチル−Ｎ−ヘプチルアンモニウムビス（トリフルオロメタンスルホニル）イミド、Ｎ，Ｎ−ジエチル−Ｎ−プロピル−Ｎ−ペンチルアンモニウムビス（トリフルオロメタンスルホニル）イミド、トリエチルプロピルアンモニウムビス（トリフルオロメタンスルホニル）イミド、トリエチルペンチルアンモニウムビス（トリフルオロメタンスルホニル）イミド、トリエチルヘプチルアンモニウムビス（トリフルオロメタンスルホニル）イミド、Ｎ，Ｎ−ジプロピル−Ｎ−メチル−Ｎ−エチルアンモニウムビス（トリフルオロメタンスルホニル）イミド、Ｎ，Ｎ−ジプロピル−Ｎ−メチル−Ｎ−ペンチルアンモニウムビス（トリフルオロメタンスルホニル）イミド、Ｎ，Ｎ−ジプロピル−Ｎ−ブチル−Ｎ−へキシルアンモニウムビス（トリフルオロメタンスルホニル）イミド、Ｎ，Ｎ−ジプロピル−Ｎ，Ｎ−ジヘキシルアンモニウムビス（トリフルオロメタンスルホニル）イミド、Ｎ，Ｎ−ジブチル−Ｎ−メチル−Ｎ−ペンチルアンモニウムビス（トリフルオロメタンスルホニル）イミド、Ｎ，Ｎ−ジブチル−Ｎ−メチル−Ｎ−ヘキシルアンモニウムビス（トリフルオロメタンスルホニル）イミド、トリオクチルメチルアンモニウムビス（トリフルオロメタンスルホニル）イミド、Ｎ−メチル−Ｎ−エチル−Ｎ−プロピル−Ｎ−ペンチルアンモニウムビス（トリフルオロメタンスルホニル）イミド等が挙げられる。
【００７７】
上記界面活性剤としては、ノニオン系界面活性剤、カチオン系界面活性剤、アニオン系界面活性剤および両性界面活性剤の何れも使用することができる。
【００７８】
上記ノニオン系界面活性剤としては、ポリオキシエチレンラウリルエーテル、ポリオキシエチレンステアリルエーテル等のポリオキシエチレンアルキルエーテル類、ポリオキシエチレンオクチルフェニルエーテル、ポリオキシエチレンノニエルフェニルエーテル等のポリオキシエチレンアルキルフェニルエーテル類、ソルビタンモノラウレート、ソルビタンモノステアレート、ソルビタントリオレエート等のソルビタン高級脂肪酸エステル類、ポリオキシエチレンソルビタンモノラウレート等のポリオキシエチレンソルビタン高級脂肪酸エステル類、ポリオキシエチレンモノラウレート、ポリオキシエチレンモノステアレート等のポリオキシエチレン高級脂肪酸エステル類；例えば、オレイン酸モノグリセライド、ステアリン酸モノグリセライド等のグリセリン高級脂肪酸エステル類、ポリオキシエチレン、ポリオキシプロピレン、ポリオキシブチレン等のポリオキシアルキレン類及びそれらのブロックコポリマーが挙げられる。
【００７９】
上記カチオン系界面活性剤としては、塩化アルキルトリメチルアンモニウム、塩化ジアルキルジメチルアンモニウム、塩化ベンザルコニウム塩、アルキルジメチルアンモニウムエトサルフェート等が挙げられる。
【００８０】
上記アニオン系界面活性剤としては、ラウリン酸ナトリウム、オレイン酸ナトリウム、Ｎ−アシル−Ｎ−メチルグリシンナトリウム塩、ポリオキシエチレンラウリルエーテルカルボン酸ナトリウム等のカルボン酸塩、ドデシルベンゼンスルフォン酸ナトリウム、ジアルキルスルホコハク酸エステル塩、ジメチル−５−スルホイソフタレートナトリウム等のスルホン酸塩、ラウリル硫酸ナトリウム、ポリオキシエチレンラウリルエーテル硫酸ナトリウム、ポリオキシエチレンノニルフェニルエーテル硫酸ナトリウム等の硫酸エステル塩、ポリオキシエチレンラウリル燐酸ナトリウム、ポリオキシエチレンノニルフェニルエーテルリン酸ナトリウム等の燐酸エステル塩等が挙げられる。
【００８１】
上記両性界面活性剤としては、カルボキシベタイン型界面活性剤、アミノカルボン酸塩、イミダゾリニウムペタイン、レシチン、アルキルアミンオキサイドが挙げられる。また、その他に、伝導性ポリマー、伝導性カーボン、塩化アンモニウム、塩化アルミニウム、塩化銅、塩化鉄、硫酸アンモニウム等を使用することができる。
【００８２】
このなかでも、２５℃で液体の有機塩が好ましく用いられる。
【００８３】
本実施形態に係る光学フィルム用粘着剤組成物における（Ｄ）成分の含有量は、本実施形態に係る（Ａ）成分１００質量部に対して０．０１質量部以上３質量部以下であることができ、０．０５質量部以上２．５質量部以下であることが好ましい。
【００８４】
１．４．（Ａ）成分の重合方法
（Ａ）成分の重合方法は、特に制限されるものではなく、溶液重合、乳化重合、懸濁重合などの公知の方法により重合できるが、重合により得られた共重合体の混合物を用いて、本発明の粘着剤組成物を製造するにあたり、処理工程が比較的簡単でかつ短時間で行える観点から、溶液重合により重合することが好ましい。
【００８５】
溶液重合は、一般に、重合槽内に所定の有機溶媒、各単量体、重合開始剤、および必要に応じて用いられる連鎖移動剤等を仕込み、窒素気流または有機溶媒の還流温度の下で、撹拌しながら数時間加熱反応させることにより行われる。
【００８６】
なお、この場合において、有機溶媒、単量体及び／または重合開始剤の少なくとも一部を逐次添加してもよい。有機溶媒としては、例えば、ベンゼン、トルエン、エチルベンゼン、ｎ−プロピルベンゼン、ｔｅｒｔ−ブチルベンゼン、ｏ−キシレン、ｍ−キシレン、ｐ−キシレン、テトラリン、デカリン、芳香族ナフサなどの芳香族炭化水素類；例えば、ｎ−ヘキサン、ｎ−ヘプタン、ｎ−オクタン、イソオクタン、ｎ−デカン、ジペンテン、石油スピリット、石油ナフサ、テレピン油などの脂肪系もしくは脂環族系炭化水素類；例えば、酢酸エチル、酢酸ｎ−ブチル、酢酸ｎ−アミル、酢酸２−ヒドロキシエチル、酢酸２−ブトキシエチル、酢酸３−メトキシブチル、安息香酸メチルなどのエステル類；例えば、アセトン、メチルエチルケトン、メチルイソブチルケトン、イソホロン、シクロヘキサノン、メチルシクロヘキサノンなどのケトン類；例えば、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテルなどのグリコールエーテル類；例えば、メチルアルコール、エチルアルコール、ｎ−プロピルアルコール、イソプロピルアルコール、ｎ−ブチルアルコール、イソブチルアルコール、ｓ−ブチルアルコール、ｔｅｒｔ−ブチルアルコールなどのアルコール類；などを挙げることができる。これらの有機溶媒はそれぞれ単独で、または２種以上混合して用いることができる。
【００８７】
これら重合用有機溶媒のうち、（Ａ）成分の重合に際しては、重合反応中に連鎖移動を生じにくい有機溶媒、例えば、エステル類、ケトン類を使用することが好ましく、特に、（Ａ）成分の溶解性、重合反応の容易さなどの点から、酢酸エチル、メチルエチルケトン、アセトンなどの使用が好ましい。
【００８８】
前記重合開始剤としては、通常の溶液重合で使用できる有機過酸化物、アゾ化合物などを使用することが可能である。このような有機過酸化物としては、例えば、ｔｅｒｔ−ブチルハイドロパーオキサイド、クメンハイドロオキサイド、ジクミルパーオキサイド、ベンゾイルパーオキシド、ラウロイルパーオキシド、カプロイルパーオキシド、ジイソプロピルパーオキシジカーボネート、ジ−２−エチルヘキシルパーオキシジカーボネート、ｔｅｒｔ−ブチルパーオキシビバレート、２，２−ビス（４，４−ジ−ｔｅｒｔ−ブチルパーオキシシクロヘキシル）プロパン、２，２−ビス（４，４−ジ−ｔｅｒｔ−アミルパーオキシシクロヘキシル）プロパン、２，２−ビス（４，４−ジ−ｔｅｒｔ−オクチルパーオキシシクロヘキシル）プロパン、２，２−ビス（４，４−ジ−α−クミルパーオキシシクロヘキシル）プロパン、２，２−ビス（４，４−ジ−ｔｅｒｔ−ブチルパーオキシシクロヘキシル）ブタン、２，２−ビス（４，４−ジ−ｔｅｒｔ−オクチルパーオキシシクロヘキシル）ブタンなどが挙げられ、アゾ化合物としては、例えば、２，２´−アゾビス−イソブチロニトリル、２，２´−アゾビス−２，４−ジメチルバレロニトリル、２，２´−アゾビス−４−メトキシ−２，４−ジメチルバレロニトリルなどを挙げることができる。
【００８９】
これら重合開始剤のうち、（Ａ）成分の重合反応中に、グラフト反応を起こさない重合開始剤が好ましく、特にアゾ系重合開始剤が好ましい。その使用量は、通常、単量体合計１００重量部に対して０．０１質量部以上２重量部以下であり、好ましくは０．１質量部以上１．０重量部以下である。
【００９０】
また、本発明の粘着剤組成物に含まれる（Ａ）成分の製造に際しては、連鎖移動剤を使用しないのが普通であるが、本発明の目的及び効果を損なわない範囲で、必要に応じて使用することは可能である。
【００９１】
このような連鎖移動剤としては、例えば、シアノ酢酸；シアノ酢酸の炭素数１以上８以下のアルキルエステル類；ブロモ酢酸；ブロモ酢酸の炭素数１以上８以下のアルキルエステル類；アントラセン、フェナントレン、フルオレン、９−フェニルフルオレンなどの芳香族化合物類；ｐ−ニトロアニリン、ニトロベンゼン、ジニトロベンゼン、ｐ−ニトロ安息香酸、ｐ−ニトロフェノール、ｐ−ニトロトルエンなどの芳香族ニトロ化合物類；ベンゾキノン、２，３，５，６−テトラメチル−ｐ−ベンゾキノンなどのベンゾキノン誘導体類；トリブチルボランなどのボラン誘導体；四臭化炭素、四塩化炭素、１，１，２，２−テトラブロモエタン、トリブロモエチレン、トリクロロエチレン、ブロモトリクロロメタン、トリブロモメタン、３−クロロ−１−プロペンなどのハロゲン化炭化水素類；クロラール、フラルデヒドなどのアルデヒド類：炭素数１以上１８以下のアルキルメルカプタン類；チオフェノール、トルエンメルカプタンなどの芳香族メルカプタン類；メルカプト酢酸、メルカプト酢酸の炭素数１以上１０以下のアルキルエステル類；炭素数１以上１２以下のヒドロキシアルキルメルカプタン類；ピネン、ターピノレンなどのテルペン類；などを挙げることができる。
【００９２】
（Ａ）成分の重合温度としては、一般に約３０℃以上１８０℃以下であり、好ましくは４０℃以上１５０℃以下であり、より好ましくは５０℃以上９０℃以下の範囲である。なお、溶液重合法などで得られた重合物中に未反応の単量体が含まれる場合は、該単量体を除くために、メタノールなどによる再沈澱法で精製することも可能である。
【００９３】
１．５．微小クリープ値
さらに、本実施形態に係る粘着剤組成物において、光漏れをより確実に防止し、かつ接着力および耐久性をさらに高めることができる観点から、本実施形態に係る粘着剤組成物の６０℃における微小クリープ値は、８００ｇ荷重を１０００秒付加した際に０．５０ｍｍ以下であることが好ましく、０．３５ｍｍ以下であることがより好ましい。本発明において、微小クリープ値は、実施例に記載の方法を用いて測定することができる。
【００９４】
本実施形態に係る粘着剤組成物は、該粘着剤組成物から形成される粘着剤層の収縮が抑制される結果、該粘着剤層が設けられた光学フィルムの収縮が抑制されることによって、光漏れをより確実に防止できる観点で、６０℃における微小クリープ値と２３℃における微小クリープ値との差が小さいほうが好ましく、例えば、６０℃における微小クリープ値と２３℃における微小クリープ値との差が０．３０ｍｍ以内であることが好ましい。
【００９５】
１．６．粘着剤組成物の製造
本実施形態に係る粘着剤組成物は、通常、前記（Ａ）および（Ｂ）成分および必要に応じて任意成分を、同時にあるいは任意の順番で混合して調製される。また、（Ａ）成分と（Ｂ）成分とを混合するにあたり、（Ａ）成分を溶液重合により調製した場合は、重合完了後の（Ａ）成分を含む溶液に（Ｂ）成分を添加してもよく、（Ａ）成分を塊状重合により調製する場合は、重合完了後では均一混合が困難になるため、この重合の途中で（Ｂ）成分を添加して混合することが好ましい。
【００９６】
１．７．用途および作用効果
本実施形態に係る粘着剤組成物は、光学フィルム（詳しくは後述する）の接着剤として好適に用いることができる。本実施形態に係る粘着剤組成物によれば、高温および多湿条件下で優れた耐久性を発揮し、かつ、液晶セル等の被着体と偏光フィルム等の光学フィルムとの接着に使用された場合、光漏れを低減することができる。なお、画像表示装置が位相差フィルムを含む場合、液晶セルと偏光フィルムとの間に位相差フィルムが設けられるため、位相差フィルムと偏光フィルムとの間に、本実施形態に係る粘着剤組成物を用いた接着剤層を設けることができる。
【００９７】
例えば、本実施形態に係る粘着剤組成物を、液晶セル等の被着体と偏光フィルム等の光学フィルムとの接着に使用された場合、良好な光漏れ防止特性および高耐久性を実現することができるため、画像表示装置の高画質化を達成することができる。この場合、本実施形態に係る粘着剤組成物は、ＶＡモード用偏光フィルム、ＴＮモード用偏光フィルムまたはＩＰＳモード用偏光フィルムを被着体とする接着剤として使用することができるが、高画質化を達成することができる点で、ＶＡモード用偏光フィルムまたはＴＮモード用偏光フィルムを被着体とする接着剤として好適に使用することができる。
【００９８】
本実施形態に係る粘着剤組成物の一作用効果である光漏れ防止特性は、以下の作用機序によるものであると推測される。
【００９９】
すなわち、本実施形態に係る粘着剤組成物を用いて光学フィルム（偏光フィルム）の表面に粘着剤層が設けられる場合、該粘着剤組成物が（Ｂ）成分を有することにより、（Ｂ）成分に含まれる上記一般式（４）で表される基および／または上記一般式（５）で表される基を含む基に起因して、該粘着剤組成物がある程度の硬さを有したまま、該粘着剤組成物に適度な凝集力および弾性が付与される。これにより、該粘着剤組成物は、元来はトレードオフの関係になることが多い、凝集力と弾性との双方を具備することができる。したがって、該粘着剤組成物を用いて画像表示装置の粘着剤層を形成した場合、光漏れを防止し、かつ接着力および耐久性（湿熱耐久性）を高めることができる。
【０１００】
２．粘着型光学フィルム
本発明の別の一実施形態に係る粘着型光学フィルムは、上記実施形態に係る光学フィルム用粘着剤組成物を含む粘着剤層を、光学フィルムの片面または両面に設える。本実施形態に係る粘着型光学フィルムを作製するにあたり、上記粘着剤層は、光学フィルム上に、上記粘着剤組成物をグラビアコーター、メイヤーバーコーター、エアナイフコーター、ロールコーター等により塗布し、光学フィルム上に塗布された粘着剤組成物を常温または加熱により乾燥および架橋して形成されてもよく、または、粘着剤層を剥離フィルム上に設け、これを上記光学フィルムに転写して形成されてもよい。また、粘着剤層の厚みは、通常は１μｍ以上５０μｍ以下、好ましくは５μｍ以上３０μｍ以下程度である。なお、粘着型光学フィルムの使用前に、粘着剤層を保護するために、該粘着剤層の表面に剥離フィルムを積層させてもよい。
【０１０１】
また、本実施形態に係る粘着型光学フィルムは、ＦＰＤなどの画像表示装置等で使用されるものが挙げられ、例えば、偏光フィルム、位相差フィルム、楕円偏光フィルム、反射防止フィルム、輝度向上フィルムおよび光拡散フィルムからなる群から選択される光学フィルムであることができる。光学フィルムの厚さは、使用目的に応じて適宜選択することができるが、通常、１０μｍ以上５００μｍ以下であり、好ましくは１５μｍ以上３００μｍ以下程度である。
【０１０２】
３．実施例
以下、本発明を下記実施例に基づいて説明するが、本発明は実施例に限定されない。
【０１０３】
３．１．（Ａ）成分の調製
攪拌機、還流冷却器、温度計および窒素導入管を備えた反応装置に、下記表２に示す配合比率を有する単量体混合物を仕込み、次に、酢酸エチルをモノマー濃度が５０質量％になる配合量にて仕込んだ。次に、アゾビスイソブチロニトリル０．１質量部を加え、反応容器内の空気を窒素ガスで置換しながら撹拌を行い６０℃に昇温した後、８時間反応させた。反応終了後、酢酸エチルで希釈して、（Ａ）成分（アクリル系ポリマーＡ〜Ｇ）を得た。
【０１０４】
３．２．評価用粘着加工偏光板の作製
上記３．１．で得られた（Ａ）成分を用いて、下記表３および表４の配合（固形分配合）にて各成分を添加して、実施例１ないし１５および比較例１ないし１１の粘着剤組成物の溶液を得た。この粘着剤組成物の溶液を剥離処理したポリエステルフィルムの表面に塗布して乾燥させることにより、厚さ２０μｍの粘着剤層を有する粘着シートを得た。この粘着シートをＶＡモード用偏光フィルムの片面に貼り付けた後、２３℃／５０％ＲＨの条件で暗所にて７日間熟成させて、評価用粘着加工偏光板を得た。なお、（Ｂ）成分として、下記表３および表４に示されるように、架橋剤１ないし６を使用した。架橋剤１ないし６はそれぞれ、下記の構造式（７）ないし（１２）で示される構造を有する。なお、架橋剤１の重量平均分子量（ＭＷ）は約３，７００であり、架橋剤２の重量平均分子量（ＭＷ）は約４，０００であり、架橋剤３の重量平均分子量（ＭＷ）は約４，０００である。
【０１０５】
［架橋剤１］
【化１１】
2014162985.tif 000013
・・・（７）
（式中、ｌは１以上１０以下であり、ｍは１以上１０以下であり、ｎは１以上１０以下であり、ａは１以上１０以下であり、ｂは１以上１０以下であり、ｃは１以上１０以下である。）
【０１０６】
［架橋剤２］
【化１２】
2014162985.tif 000014
・・・（８）
（式中、ｌは１以上１０以下であり、ｍは１以上１０以下であり、ｎは１以上１０以下である。）
【０１０７】
［架橋剤３］
【化１３】
2014162985.tif 000015
・・・（９）
（式中、ｌは１以上１０以下であり、ｍは１以上１０以下であり、ｎは１以上１０以下である。）
【０１０８】
［架橋剤４］
【化１４】
2014162985.tif 000016
・・・（１０）
【０１０９】
［架橋剤５］
【化１５】
2014162985.tif 000017
・・・（１１）
【０１１０】
［架橋剤６］
【化１６】
2014162985.tif 000018
・・・（１２）
【０１１１】
各評価用粘着加工偏光板について、下記表３および表４に示す最大変形率、歪み復元率、光漏れ(光源にＬＥＤを用いたもの：ＬＥＤ方式)、光漏れ（光源にＬＥＤを用いないもの：非ＬＥＤ方式）、湿熱耐久性（発泡および断裂）について以下の方法にて評価した。
【０１１２】
３．３．評価方法
３．３．１．光漏れ
１９インチサイズのＶＡ型液晶パネル（Ｉ・Ｏデータ社製、型式：ＬＣＤ−Ａ１９１ＥＷから取り外したもの）に、剥離処理されたポリエステルフィルムをはがした評価用粘着加工偏光板を、粘着剤層が前記液晶パネルに接するように、かつ、前記評価用粘着加工偏光板がクロスニコルになるように貼り合わせて、８０℃の雰囲気下で２４０時間放置した後、２３℃／５０％ＲＨ雰囲気下で２時間放置した。その後、前記偏光板を貼り合わせた液晶パネルを暗室でパソコンに接続し全画面黒表示にした。本試験では、液晶パネルとして、ＶＡ方式の液晶パネルおよびＴＮ方式の液晶パネルの２種を用いて評価を行った。この全画面黒表示のディスプレイモニターについて、図１に示されるように、各コーナー付近の直径１ｃｍの領域における輝度（Ｌａ，Ｌｂ，Ｌｃ，Ｌｄ）およびモニタ中央部分の直径１ｃｍの領域における輝度（Ｌcenter）を輝度計（ハイランド社製、型名：ＲＩＳＡ−ＣＯＬＯＲ／ＣＤ８）を用いて測定し、下記式（１３）に基づいて光漏れ性（ΔＬ）を算出した。ΔＬが小さいほど、（バックライトからの）光漏れが少ないことを意味し、通常、ΔＬが２．０未満であれば液晶表示用パネルとしての使用が可能である。
ΔＬ＝（Ｌａ＋Ｌｂ＋Ｌｃ＋Ｌｄ）／４−Ｌcenter  ・・・（１３）
【０１１３】
また、ＶＡ方式の液晶パネルについては、図１にて点線で示すように、ディスプレイモニターのコーナー付近において光漏れが発生した範囲（Ｒ）を目視で測定し、また、ＴＮ方式の液晶パネルについては、図２にて点線で示すように、ディスプレイモニターの外周付近において光漏れが発生した範囲（Ｒ）を目視で測定した。光漏れが発生した範囲は、小さいほど光漏れが少ないことを意味し、通常、Ｒが２０ｍｍ未満であれば、液晶表示用パネルとしての使用が可能である。さらに好ましくは、１６．５未満である。
【０１１４】
３．３．２．微小クリープ値
各評価用粘着加工偏光板を幅１０ｍｍ×長さ１００ｍｍにカットし、剥離処理されたポリエステルフィルムを剥がした各評価用粘着加工偏光板を、粘着剤層がガラスに接し、かつ１００ｍｍ２（１０ｍｍ×１０ｍｍ）の貼り合わせ面積になるように貼り合わせ、オートクレーブ処理（５０℃、５ａｔｍ）を行った後に２３℃／５０％ＲＨ雰囲気下で２４時間静置した。これを微小クリープ試験用試料とした。微小クリープ測定機（英弘精機（株）社製、機種名：ＴＡ．ＴＸ．ＰＬＵＳ）のチャンバーＢＯＸ内の固定用チャック部分の長さ１５ｍｍにて試験用試料のセットを行った。試験用資料の上下を固定し、８００ｇ荷重を垂直方向に１０００秒付加した際に、試料と被着体の貼り合わせ端部が初期よりずれた距離を測定した。
【０１１５】
３．３．３．湿熱耐久性
剥離処理されたポリエステルフィルムをはがした評価用粘着加工偏光板を１５インチサイズ（２３３ｍｍ×３０９ｍｍ）に裁断し、厚さ０．５ｍｍの無アルカリガラス板の片面に、粘着剤層が前記ガラス板に接するようにして、ラミネータロールを用いて貼り付けた。貼付後、オートクレーブ（栗原製作所製）にて０．５ＭＰａ、５０℃、２０分の条件で加圧処理して試験用プレートを得た。こうして得られた試験用プレートを６０℃／９０％ＲＨの条件下に５００時間放置した。試験終了後、試験用プレートを試験環境より取り出し、２３℃／５０％ＲＨ雰囲気下で２時間静置した後、粘着剤層における発泡（凝集力不足）、断裂（過架橋）を目視にて観察して、湿熱耐久性を下記評価基準にて評価した。
【０１１６】
（発泡−サイズ）
○：発泡が全く見られない
△：発泡の直径が１ｍｍ以下
×：発泡の直径が１ｍｍより大きい
【０１１７】
（発泡−発生量）
○：発泡が全く見られない
△：発泡の個数が１０個以下
×：発泡の個数が１０個より多い
【０１１８】
（断裂−サイズ）
○：断裂が全く見られない
△：断裂が生じた面積が試験用プレートにおける貼り合わせ部分全体（１００％）に対して５％未満
×：断裂が生じた面積が試験用プレートにおける貼り合わせ部分全体（１００％）に対して５％以上
【０１１９】
（断裂−位置）
○：断裂が全くない
△：試験用プレートの各端部付近の１ｃｍ幅領域のみに欠点がある
×：試験用プレートの各端部付近の１ｃｍ領域と領域外に欠点がある
【０１２０】
【表２】
2014162985.tif 000019
【０１２１】
【表３】
2014162985.tif 000020
【０１２２】
【表４】
2014162985.tif 000021
【０１２３】
なお、表２における略語は以下の意味である。
ＡＡ：アクリル酸
ＢＡ：ｎ−ブチルアクリレート
ｔ−ＢＡ：ｔｅｒｔ−（ターシャリー）ブチルアクリレート
４−ＨＢＡ：４−ヒドロキシブチルアクリレート
ＨＥＡ：２−ヒドロキシエチルアクリレート
Ｌ−４５：ＴＤＩ系イソシアネート化合物（綜研化学社製  Ｌ−４５）
ＭＡ：メチルアクリレート
ＫＢＭ−４０３：３−グリシドキプロピルトリメトキシシラン（信越化学工業社製）
イオン性化合物（（Ｄ）成分：帯電防止剤）：１−オクチル−４−メチルピリジニウム・ビス（フルオロスルホニル）イミド
【０１２４】
表３および表４の結果から、上記実施例１ないし１５の組成物は、（Ｂ）成分として上記一般式（２）または上記一般式（３）で表される架橋剤１ないし３を含むことにより、高い粘着力および優れた耐久性を実現し、かつ、光漏れを低減することができる。これに対して、上記比較例１ないし１１の組成物は、（Ｂ）成分として上記一般式（２）または上記一般式（３）で表される架橋剤を含んでいないか（使用した架橋剤４〜６が上記一般式（２）または上記一般式（３）で表される構造を有さない）（比較例１ないし１１）、光漏れの低減を十分に達成することができなかったことが理解できる。
【０１２５】
［符号の説明］
１００  画像表示装置（液晶パネル）
Ｌａ，Ｌｂ，Ｌｃ，Ｌｄ  画像表示装置のコーナー近傍の輝度
Ｌcenter  画像表示装置の中央部における輝度
【図１】
2014162985.tif 000027
【図２】
2014162985.tif 000028
【国際調査報告】
2014162985.tif 000029
2014162985.tif 000030
2014162985.tif 000031
2014162985.tif 000032